(57)【要約】【課題】  ユーザが所有する端末装置において放送データを記録しなくても、キューシートからユーザ操作によって選択されたコンテンツを端末装置で再生すること。【解決手段】  放送局サーバ１は、放送局から放送される放送データを記憶し、曲の特定情報と放送時刻を対応付けたキューシートを記憶する。キューシートに基づいて放送データに含まれる曲の一覧である曲リストを生成し、端末装置に送信する。端末装置から曲を要求された場合、キューシートを参照し、要求された曲の放送時刻を特定し、記録されている放送データの中から、特定された放送時刻に対応する放送データを抽出し、抽出された放送データを端末装置に送信する。【選択図】図１
2011186599.tif 000002
【特許請求の範囲】
【請求項１】
放送事業者によって運営される放送局サーバと、前記放送局サーバに接続可能でありユーザによって所有される端末装置とを備え、
前記放送局サーバが、
放送局から放送される複数のコンテンツを含む放送データを記憶媒体に記録する記録手段と、
放送局から放送される各コンテンツの特定情報及び放送時刻を対応付けたキューシートを記憶するキューシート記憶手段と、
キューシートに基づいてコンテンツの一覧であるコンテンツリストを生成するリスト生成手段と、
前記端末装置にコンテンツリストを送信するリスト送信手段と、
前記端末装置からコンテンツを要求された場合、キューシートを参照し、要求されたコンテンツに対応する放送データを抽出する抽出手段と、
抽出された放送データを前記端末装置に送信するコンテンツ送信手段とを有し、
前記端末装置が、
前記放送局サーバからコンテンツリストを受信するリスト受信手段と、
ユーザ操作によってコンテンツリストの中からコンテンツが選択された場合、選択されたコンテンツを前記放送局サーバに要求する要求手段と、
前記放送局サーバから放送データを受信するコンテンツ受信手段と、
受信した放送データを再生する再生手段とを有する、コンテンツ配信システム。
【請求項２】
放送事業者によって運営される放送局サーバであって、
放送局から放送される複数のコンテンツを含む放送データを記憶媒体に記録する記録手段と、
放送局から放送される各コンテンツの特定情報及び放送時刻を対応付けたキューシートを記憶するキューシート記憶手段と、
キューシートに基づいてコンテンツの一覧であるコンテンツリストを生成するリスト生成手段と、
端末装置にコンテンツリストを送信するリスト送信手段と、
前記端末装置からコンテンツを要求された場合、キューシートを参照し、要求されたコンテンツに対応する放送データを抽出する抽出手段と、
抽出された放送データを前記端末装置に送信するコンテンツ送信手段とを備える、放送局サーバ。
【請求項３】
前記端末装置から要求されたコンテンツに関する情報と、要求された時刻とを対応付けて記憶する要求情報記憶手段をさらに備える、請求項２に記載の放送局サーバ。
【請求項４】
前記端末装置に関する情報と、コンテンツを検索するための特定情報とを対応付けて管理する端末管理手段と、
前記端末装置が前記放送局サーバに接続された場合、接続された前記端末装置に関する情報に対応付けられて管理されている特定情報を読み出す読出手段とをさらに備え、
前記抽出手段が、キューシートを参照し、前記読出手段によって読み出された特定情報で特定されるコンテンツに対応する放送データを抽出する、請求項２または３に記載の放送局サーバ。
【発明の詳細な説明】
【技術分野】
【０００１】
本発明は、放送局サーバと、端末装置とを備えるコンテンツ配信システム、および、それに使用される放送局サーバに関する。
【背景技術】
【０００２】
ＨＤＤレコーダやＰＣ等の端末装置は、ラジオ又はテレビで放送される音楽データや映像データ等のコンテンツを含む放送データを受信し、ＨＤＤ等の記憶媒体に放送データファイルとして記録し、記録した放送データファイルを後から再生することができる。しかし、ユーザは所望のコンテンツがいつ放送されるかはわからない。例えばラジオのＦＭ放送では、所望の曲がある番組中に放送されることがあらかじめわかる場合もあるが、番組中にはＣＭやＤＪが入るので、所望の曲が番組中のいつ放送されるかまではわからない。
【０００３】
この問題を解決するために、下記特許文献１において、キューシートを利用して所望の曲を抽出して再生する端末装置が提案されている。この端末装置は、放送された曲の放送開始時刻や曲名等を記述したキューシートをサーバから取得する。端末装置は、常にＦＭ放送を受信し、受信された放送データを全てＨＤＤに記録する。そして、キューシートを参照して、録音された全放送データから所望の曲を抽出して再生する。
【０００４】
下記特許文献１によると、端末装置が電源オフ状態にされている等の理由で放送データをＨＤＤに記録できなかった場合には、キューシートから所望の曲をユーザが発見したとしても、所望の曲を含む放送データがＨＤＤに記録されていないので、再生することができないという問題が生じる。この問題を解決するためには、端末装置の電源を常時オン状態にしておき、放送データを記録し続ける必要があり、消費電力が増大し、環境上問題である。また、端末装置が１つのチューナしか備えない場合には、ユーザ操作によって選択された１つの放送局の放送データしかＨＤＤに記録することができない。従って、他の放送局の放送データを記録していたために放送データをＨＤＤに記録できなかった場合にも、キューシートから所望の曲をユーザが発見したとしても、所望の曲を含む放送データがＨＤＤに記録されていないので、再生することができないという問題が生じる。
【先行技術文献】
【特許文献】
【０００５】
【特許文献１】特開２００７−５９０３５号公報
【発明の概要】
【発明が解決しようとする課題】
【０００６】
本発明の目的は、ユーザが所有する端末装置において放送データを記録しなくても、キューシートに基づいて、ユーザ操作によって選択されたコンテンツを端末装置で再生することができるコンテンツ配信システムを提供することである。
【課題を解決するための手段】
【０００７】
本発明の好ましい実施形態によるコンテンツ配信システムは、放送事業者によって運営される放送局サーバと、前記放送局サーバに接続可能でありユーザによって所有される端末装置とを備え、前記放送局サーバが、放送局から放送される複数のコンテンツを含む放送データを記憶媒体に記録する記録手段と、放送局から放送される各コンテンツの特定情報及び放送時刻を対応付けたキューシートを記憶するキューシート記憶手段と、キューシートに基づいてコンテンツの一覧であるコンテンツリストを生成するリスト生成手段と、前記端末装置にコンテンツリストを送信するリスト送信手段と、前記端末装置からコンテンツを要求された場合、キューシートを参照し、要求されたコンテンツに対応する放送データを抽出する抽出手段と、抽出された放送データを前記端末装置に送信するコンテンツ送信手段とを有し、前記端末装置が、前記放送局サーバからコンテンツリストを受信するリスト受信手段と、ユーザ操作によってコンテンツリストの中からコンテンツが選択された場合、選択されたコンテンツを前記放送局サーバに要求する要求手段と、前記放送局サーバから放送データを受信するコンテンツ受信手段と、受信した放送データを再生する再生手段とを有する。
【０００８】
ユーザが所有する端末装置において放送データを記録しなくても、キューシートに基づいてユーザ操作によって選択されたコンテンツを端末装置で再生することができる。
【０００９】
好ましい実施形態においては、前記放送局サーバは、前記端末装置から要求されたコンテンツに関する情報と、要求された時刻とを対応付けて記憶する要求情報記憶手段をさらに備える。
【００１０】
この場合、例えば、どの時刻にどのアーティストのコンテンツが良く聴取されているかといった情報を取得することができる。
【００１１】
好ましい実施形態においては、前記端末装置に関する情報と、コンテンツを検索するための特定情報とを対応付けて管理する端末管理手段と、前記端末装置が前記放送局サーバに接続された場合、接続された前記端末装置に関する情報に対応付けられて管理されている特定情報を読み出す読出手段とをさらに備え、前記抽出手段が、キューシートを参照し、前記読出手段によって読み出された特定情報で特定されるコンテンツに対応する放送データを抽出する。
【００１２】
この場合、端末装置が放送局サーバに接続するだけで、ユーザのコンテンツ検索操作を要することなく、自動的に放送局サーバから端末装置に放送データを送信することができる。
【発明の効果】
【００１３】
本発明によると、ユーザが所有する端末装置において放送データを記録しなくても、キューシートからユーザ操作によって選択されたコンテンツを端末装置で再生することができる。
【図面の簡単な説明】
【００１４】
【図１】本発明の好ましい実施形態によるコンテンツ配信システムを示すブロック図である。
【図２】放送データファイルリストを示す図である。
【図３】キューシートを示す図である。
【図４】曲リストを示す図である。
【図５】放送局サーバの処理を示すフローチャートである。
【図６】放送局サーバの処理を示すフローチャートである。
【図７】端末装置の処理を示すフローチャートである。
【図８】要求のあった曲と要求のあった時刻とを対応付けて記憶するテーブルである。
【図９】放送局サーバの処理を示すフローチャートである。
【図１０】端末情報テーブルを示す図である。
【図１１】端末装置の処理を示すフローチャートである。
【図１２】端末装置の処理を示すフローチャートである。
【発明を実施するための形態】
【００１５】
以下、本発明の好ましい実施形態について、図面を参照して具体的に説明するが、本発明はこれらの実施形態には限定されない。
［全体構成］
図１は、本発明の好ましい実施形態によるコンテンツ配信システムを示すブロック図である。コンテンツ配信システムは、放送局サーバ１と、放送局１０と、端末装置２０とを備える。放送局サーバ１および放送局１０は放送事業者によって管理、運営される。端末装置２０は、ユーザが所有する装置であって、例えば、ＰＣ、オーディオ機器、携帯電話、ゲーム機等である。
【００１６】
放送局１０は、複数のコンテンツを含む放送データを送信する。コンテンツとは、曲（音楽）データ、映像データおよび／または静止画データ等の総称であり、本例では曲データである。放送はＴＶ放送またはラジオ放送等であり、デジタル放送、アナログ放送、衛星放送またはインターネット放送等の任意の放送が採用され得る。本例では、複数の曲データを含むＦＭ放送を例に説明する。
【００１７】
放送局サーバ１は、放送局１０が放送する放送データが入力され、所定時間毎の放送データを、放送データファイルとしてＨＤＤに記録する。また、放送局サーバ１は、例えば、放送局の作業者によってキューシート（番組進行表）が生成され、生成されたキューシートがＨＤＤ等に格納される。放送局サーバ１は、キューシートに基づいて曲リストを生成し、端末装置２０に曲リストを送信する。端末装置２０は、曲リストの中からユーザ操作によって所望の曲を選択し、放送局サーバ１に選択された曲を要求する。放送局サーバは、キューシートに基づいて放送データファイルの中から、選択された曲に対応する放送データを抽出し、端末装置２０に送信する。端末装置２０は、放送局サーバ１から受信した放送データを再生する。
【００１８】
［放送局サーバ１の構成］
放送局サーバ１は、制御部２、メモリ（ＲＯＭ及び／又はＲＡＭ）３、入力部４、ＨＤＤ（Hard Disk Drive）等の記憶媒体５、および、通信部６を備える。制御部２は、メモリ３に格納されている放送局サーバ１の動作プログラムに基づいて放送局サーバ１全体を制御するものであり、例えば、マイコンやＣＰＵ等である。
【００１９】
ＨＤＤ５は、放送曲１０によって放送された放送データが入力され、放送データを記録する。特に限定されないが、放送局サーバ１がチューナを備え、チューナで受信した放送データをＨＤＤ５に記録してもよく、放送局１０から放送データが電気信号として放送局サーバ１に直接的に供給されてもよい。放送データがアナログ形式である場合には、放送データがアナログ−デジタル変換されてＨＤＤ５に記録される。特に限定されないが、放送データは、所定時間（例えば１時間）毎の放送データファイル（例えばＭＰ３ファイル）に分割され、ＨＤＤ５に記録される。
【００２０】
ＨＤＤ５には、図２に示す放送データファイルリストが格納されている。放送データファイルリストは、ＨＤＤ５に記録されている全ての放送データファイルについて、放送開始時刻（つまりＨＤＤ５への記録開始時刻）、放送終了時刻（つまりＨＤＤ５への記録終了時刻）およびファイル名を管理するリストである。放送データファイルリストには、所定時間毎の放送データファイルがＨＤＤ５に記録される毎に、制御部２によって新たに情報が登録される。
【００２１】
ＨＤＤ５には、入力部４から入力されるキューシートが格納されている。キューシートは一般的には放送局の作業者によって入力部４を介して入力作業が行われる。図３は、キューシートの一例を示す図である。キューシートは、曲名と、アーティスト名と、放送開始時刻と、放送終了時刻とを含む。その他に、その曲が放送された番組の番組名、ジャンル名、ＤＪ名等が記述されてもよい。例えば、２０１０年１月１日の１７時００分〜１７時１０分にアーティト名ａａａ、曲名ＡＡＡの曲が放送されたことを示している。なお、放送開始時刻、放送終了時刻を総称して、放送時刻という。放送開示時刻のみが記述され、放送終了時刻が次の曲の放送開始時刻となっていいてもよい。
【００２２】
通信部６は、インターネット等の任意の電気通信回線を介して端末装置２０に接続され、端末装置２０との間で各データやコマンド等を送受信する。
【００２３】
制御部２は、キューシートに基づいて曲リストを生成し、生成した曲リストをメモリ３又はＨＤＤ５に格納する。曲リストは、図４に示すように、曲名、アーティスト名等が記述された曲の一覧表である。曲リストに記述される曲は、曲名順にソートされていてもよく、アーティスト名順にソートされていてもよく、放送開始時刻順にソートされていてもよい。制御部２は、端末装置２０から曲リストの要求を受信すると、曲リストをメモリ３等から読み出して、端末装置２０に送信する。また、制御部２は、端末装置２０から曲の要求を受信すると、要求された曲のアーティスト名と曲名とからキューシート上の曲を特定し、放送開始時時刻と放送終了時刻とを特定する。制御部２は、特定された曲を放送データファイルから抽出し、端末装置２０に送信する。なお、曲のアーティスト名、曲名等を曲の特定情報という。
【００２４】
［端末装置２０の構成］
端末装置２０は、制御部２１、メモリ（ＲＯＭ及び／又はＲＡＭ）２２、通信部２３、再生部２４、表示部２５および入力部２６を備える。制御部２１は、メモリ２２に格納されている端末装置２０の動作プログラムに基づいて端末装置２０を制御するものであり、例えば、マイコンやＣＰＵ等である。
【００２５】
通信部２３は、インターネット等の任意の電気通信回線を介して放送局サーバ１に接続され、放送局サーバ１との間で各データやコマンド等を送受信する。
【００２６】
入力部２６はユーザ操作を受け付けるものであり、リモコン、キーボード、マウス、端末装置２０の筐体に設けられた操作ボタン等である。表示部２５は、図４の曲リストを表示するものであり、ＬＣＤ等である。再生部２４は、放送局サーバ１から受信した放送データを再生（例えば、デコード、Ｄ/Ａ変換、増幅処理等）し、図示しないスピーカーから音声を出力する。
【００２７】
制御部２１は、ユーザ操作によって曲リストを表示する指示が入力された場合、曲リストを放送局サーバ１に要求する。放送局サーバ１から曲リストを受信すると、表示部２５に表示させる。制御部２１は、ユーザ操作によって曲リストの中からユーザ所望の曲が選択され、再生指示が入力されると、選択された曲を放送局サーバ１に要求する。選択された曲に対応する放送データを放送局サーバ１から受信すると、制御部２１は、受信した放送データを再生部２４に再生させる。
【００２８】
［動作］
以下、本発明の動作を説明する。図５、図６は、放送局サーバ１の処理を示すフローチャートであり、図７は端末装置２０の処理を示すフローチャートである。図５に示すように、放送局サーバ１には放送局１０が放送する放送データが常時入力されている。放送局サーバ１に放送データが入力される時刻は、放送局１０が放送データを放送する時刻と略同じである。
【００２９】
制御部２は、入力された放送データをエンコードし、放送データファイルを生成する（Ｓ１）。制御部２は、所定時間毎の放送データファイルをＨＤＤ５に記録させる（Ｓ２）。このとき、制御部２は、図２の放送データファイルリストに、放送開始時刻と、放送終了時刻と、ファイル名とを登録する。つまり、放送開始時刻として当該放送データファイルをＨＤＤ５に記録開始した時刻が登録され、放送終了時刻として当該放送データファイルをＨＤＤ５に記録終了した時刻が登録される。
【００３０】
制御部２は、放送局の作業者によってキューシートの入力を受け付ける（Ｓ３）。例えば、図３に示すように、曲名ＢＢＢ、アーティスト名ｂｂｂの曲が１７時１０分に放送開始され、１７時１５分に放送終了された後、例えば１７時１７分に作業者によってキューシートに曲名ＢＢＢ、アーティスト名ｂｂｂの曲の情報が登録され、キューシートが更新される。
【００３１】
制御部２は、キューシートに基づいて曲リストを生成し、メモリ３又はＨＤＤ５に格納する（Ｓ４）。曲リストは、キューシートから例えば曲名とアーティスト名とを抽出して一覧化することによって生成される。曲リストはＨＴＭＬ形式で生成される。曲リストは、ＨＤＤ５に格納されているキューシートが更新される毎に新たに生成される。
【００３２】
図７に示すように、端末装置２０の制御部２１は、ユーザ操作によって曲リストを表示する指示が入力されたか否かを判断する（Ｓ２１）。入力されない場合（Ｓ２１でＮＯ）、Ｓ２３に進む。入力された場合（Ｓ２１でＹＥＳ）、制御部２１は、曲リストを放送局サーバ１に要求する（Ｓ２２）。このときに、アーティスト名やアルバム名等の属性情報で絞り込んだ曲リストを要求するようにしてもよい。図６に示すように、放送局サーバ１の制御部２は、端末装置２０から曲リストの要求を受信したか否かを判断する（Ｓ１１）。受信した場合（Ｓ１１でＹＥＳ）、制御部２１は、曲リストをメモリ３又はＨＤＤ５から読み出して、端末装置２０に送信する（Ｓ１２）。図７に示すように、端末装置２０の制御部２１は、放送局サーバ１から曲リストを受信したか否かを判断しており（Ｓ２３）、受信した場合（Ｓ２３でＹＥＳ）、受信した曲リストを表示部２５に表示させる（Ｓ２４）。
【００３３】
図７に示すように、端末装置２０の制御部２１は、ユーザ操作によって曲リストの中から曲が選択され、再生する指示が入力されたか否かを判断する（Ｓ２５）。入力されない場合（Ｓ２５でＮＯ）、Ｓ２１に戻る。入力された場合（Ｓ２５でＹＥＳ）、制御部２１は、選択された曲を放送局サーバ１に要求する（Ｓ２６）。詳細には、選択された曲のアーティスト名と曲名と（つまり、曲の特定情報）を放送局サーバ１に送信する。なお、これらの情報の代わりに曲を一意に特定するための曲ＩＤや曲番号等が送信されてもよい。また、曲が放送された番組名が曲リストに記述される場合には、その番組名も送信するとよい。
【００３４】
図６に示すように、放送局サーバ１の制御部２は、端末装置２０から曲の要求を受信したか否かを判断する（Ｓ１３）。受信しない場合（Ｓ１３でＮＯ）、Ｓ１１に戻る。受信した場合（Ｓ１３でＹＥＳ）、制御部２は、端末装置２０から要求された曲をキューシートに基づいて特定する（Ｓ１４）。つまり、端末装置２０から受信したアーティスト名と曲名との組合せをキューシートから探す。そして、キューシートから探し出した曲の放送開始時刻と、放送終了時刻とをキューシート上で特定する。特定情報に番組名が含まれる場合、番組名も使用して放送開始時刻と、放送終了時刻とが特定されるとよい。
【００３５】
続いて、制御部２１は、放送データファイルの中からキューシートで特定した曲に対応する部分のデータを抽出する（Ｓ１５）。つまり、制御部２は、放送データファイルリストを参照し、キューシートから特定した放送開始時刻と放送終了時刻との間の放送データを含む放送データファイルを特定する。そして、制御部２は、特定した放送データファイルの中から、放送開始時時刻と放送終了時刻との間の放送データを抽出する。特に限定されないが、放送データファイル毎に１秒単位で放送データファイルのオフセット（先頭からの相対位置情報）が管理されており、時刻が分かれば放送データファイルの抽出位置が特定できるようになっている。なお、放送開始時時刻と放送終了時刻との間の放送データが２つの放送データファイルにまたがっている場合には、２つの放送データファイルから該当する放送データを抽出し、結合するとよい。
【００３６】
制御部２は、放送データファイルから抽出した放送データを端末装置２０に送信する（Ｓ１６）。図７に示すように、端末装置２０の制御部２１は、放送局サーバ１から放送データを受信すると、受信した放送データを再生部２４に再生させる（Ｓ２７）。
【００３７】
以上の処理を、具体例を用いて説明する。例えば、ユーザ操作によって曲リストの中から、アーティスト名ａａａ、曲名ＡＡＡの曲が選択され再生指示が入力されると、放送局サーバ１の制御部２は、キューシートを参照し、抽出すべき曲データが、２０１０年１月１日の１７時００分〜１７時１０分に放送されたデータであることを判断する。そして、制御部２は、図２の放送データファイルリストの中から、２０１０年１月１日の１７時００分〜１７時１０分の放送データを含む放送データファイル（すなわち、ファイル１）を特定する。制御部２は、特定した放送データファイルの中から１７時００分〜１７時１０分に相当する部分のデータ（つまり、ファイル１は１７時００分〜１８時００分の放送データであるので、ファイル１の先頭からファイルサイズが１／６までのデータ）を抽出して、端末装置２０に送信する。
【００３８】
以上の処理によって、ユーザが所有する端末装置２０を常時電源オン状態とし、ＨＤＤに放送データの全てを記録させる必要なく、端末装置２０がキューシートに基づく曲リストから曲を選択し、再生することができる。複数の放送局が上記の放送局サーバを運営することによって、ユーザが所有する端末装置が複数のチューナを備える必要なく、複数の放送局で放送された曲をキューシートから選択して再生することができる。
【００３９】
次に、本発明の別の好ましい実施形態を説明する。本例では、放送局サーバ１は、端末装置２０から要求のあった曲に関する情報を要求のあった時刻と対応付けて記憶する機能を有する。要求のあった曲に関する情報とは、例えば、曲名、アーティスト名、番組名、ＤＪ名等である。番組名やＤＪ名はキューシート上に記述されるか、別途作成されたデータベースにて管理される。図８は、放送局サーバ１で管理される要求のあった曲情報を管理するテーブルである。図９は、本例の処理を示すフローチャートであり、図６と比較してＳ２１が追加されている。Ｓ１４で要求された曲をキューシートから特定すると、制御部２は、要求された曲に関する情報を例えばキューシートから取得し、要求のあった時刻に対応付けて図８のテーブルに記憶する。図８のテーブルは、聴取率データとして使用することができ、どの曜日のどの時刻には、どのアーティストが好まれて聴取されるかといった情報や、番組やＤＪ毎の聴取率を容易に取得することができる。
【００４０】
次に、本発明のさらに別の好ましい実施形態を説明する。本例では、放送局サーバ１は、メモリ３又はＨＤＤ５に図１０に示す端末情報テーブルを格納している。端末情報テーブルは、端末情報（例えばＩＰアドレスや機器番号）（又はユーザＩＤ等のユーザ情報でもよい）に対応付けて曲を検索するための特定情報（例えばアーティスト名等）を格納する。端末情報は、端末装置１から取得することができる。
【００４１】
図１１に示すように、放送局サーバ１の制御部２は、端末装置２０から特定情報を受信したか否かを判断する（Ｓ３１）。例えば、放送局サーバ１の制御部２が特定情報（例えばアーティスト名）を入力するための画面を生成し、端末装置２０からの要求に応じて当該画面を端末装置２０に送信する。端末装置２０では、当該画面を表示し、ユーザ操作によって特定情報が入力されると、特定情報が放送局サーバ１に送信される。特定情報を受信した場合（Ｓ３１でＹＥＳ）、制御部２は、端末情報に対応付けて、受信した特定情報を端末情報テーブルに登録する（Ｓ３２）。なお、図６のＳ１３にて端末装置２０から受信した特定情報を端末情報テーブルに登録するようにしてもよい。
【００４２】
図１２に示すように、放送局サーバ１の制御部２は、端末装置２０が接続されたか否かを判断しており（Ｓ４１）、接続された場合（Ｓ４１でＹＥＳ）、制御部２は、接続された端末装置２０の端末情報に対応付けられている特定情報を端末情報テーブルから読み出す（Ｓ４２）。次に、制御部２は、Ｓ４で生成された曲リストを、特定情報を用いて絞り込み、接続された端末装置用の曲リストを生成する（Ｓ４３）。つまり、特定情報があるアーティスト名であれば、そのアーティスト名の曲の一覧である曲リストが生成される。次に、制御部２は、曲リストの曲を１つ選択し、選択した曲をキューシートから特定する（Ｓ４４）。つまり、選択した曲のアーティスト名と曲名との組合せをキューシートから探す。そして、キューシートから探し出した曲の放送開始時刻と、放送終了時刻とをキューシート上で特定する。
【００４３】
続いて、制御部２１は、放送データファイルの中からキューシートで特定した曲に対応する部分のデータを抽出する（Ｓ４５）。つまり、制御部２は、放送データファイルリストを参照し、キューシートから特定した放送開始時刻と放送終了時刻との間の放送データを含む放送データファイルを特定する。そして、制御部２は、特定した放送データファイルの中から、放送開始時時刻と放送終了時刻との間の放送データを抽出する。制御部２は、放送データファイルから抽出した放送データを端末装置２０に送信する（Ｓ４６）。図７に示すように、端末装置２０の制御部２１は、放送局サーバ１から放送データを受信すると、受信した放送データを再生部２４に再生させる（Ｓ２７）。
【００４４】
以上の処理により、端末装置２０が放送局サーバ１に接続するだけで、ユーザの選曲操作を要することなく、自動的に放送局サーバ１から端末装置２０に放送データを送信することができる。
【００４５】
以上、本発明の好ましい実施形態を説明したが、本発明はこれらの実施形態には限定されない。上記の放送局サーバ又は端末装置を動作させるためのコンピュータプログラムまたはそのコンピュータプログラムを記録した記録媒体という形態で提供されてもよい。
【産業上の利用可能性】
【００４６】
本発明は、放送データの配信サービス等に好適に採用され得る。
【符号の説明】
【００４７】
１          放送局サーバ
２          制御部
３          メモリ
４          入力部
５          ＨＤＤ
６          通信部
１０        放送局
２０        端末装置
２１        制御部
２２        メモリ
２３        通信部
２４        再生部
２５        表示部
２６        入力部
【図１】
2011186599.tif 000003
【図２】
2011186599.tif 000004
【図３】
2011186599.tif 000005
【図４】
2011186599.tif 000006
【図５】
2011186599.tif 000007
【図６】
2011186599.tif 000008
【図７】
2011186599.tif 000009
【図８】
2011186599.tif 000010
【図９】
2011186599.tif 000011
【図１０】
2011186599.tif 000012
【図１１】
2011186599.tif 000013
【図１２】
2011186599.tif 000014